(57)【特許請求の範囲】
【請求項１】
バックボーンネットワークに接続する親局装置と、端末装置に接続する子局装置との間の無線通信を時分割双方向通信で行う無線データ通信システムにおける上記親局装置または上記子局装置の無線部テスト方法であって、
送信用無線フレーム生成を行う送信データ処理手段と、
無線変調およびアップコンバージョンを行う無線送信手段と、
送受信切り替えを行う送受信切り替えスイッチと、
アンテナと、
無線復調およびダウンコンバージョンを行う無線受信手段と、
無線フレームの解体を行う受信データ処理手段と、
上記送信データ処理手段と上記受信データ処理手段のデータの送受信処理の制御、上記送受信切り替えスイッチの制御、およびデータ比較用メモリの制御を行う制御手段とを具備し、
無線部の動作テスト時に、上記アンテナを介さないで、上記送受信切り替えスイッチを通過させ、無線部の信号を送信側から受信側へループさせ、直接与え、その際、上記送受信切り替えスイッチの向きは、上記無線送信手段と上記アンテナとが接続するように設定することを特徴とする無線データ通信システムにおける無線部テスト方法。
【請求項２】
バックボーンネットワークに接続する親局装置と、端末装置に接続する子局装置との間の無線通信を時分割双方向通信で行う無線データ通信システムにおける上記親局装置または上記子局装置の無線部テスト方法であって、
送信用無線フレーム生成を行う送信データ処理手段と、
無線変調およびアップコンバージョンを行う無線送信手段と、
送受信切り替えを行う送受信切り替えスイッチと、
アンテナと、
無線復調およびダウンコンバージョンを行う無線受信手段と、
無線フレームの解体を行う受信データ処理手段と、
上記送信データ処理手段と上記受信データ処理手段のデータの送受信処理の制御、上記送受信切り替えスイッチの制御、およびデータ比較用メモリの制御を行う制御手段とを具備し、
無線部の動作テスト時に、上記アンテナを介さないで、上記送受信切り替えスイッチを通過させ、無線部の信号を送信側から受信側へループさせ、直接与え、その際、上記送受信切り替えスイッチの向きは、上記無線送信手段と上記アンテナとが接続するように設定し、動作テスト時の上記無線受信手段への入力レベル調整は、上記無線送信手段により利得調整を行うことを特徴とする無線データ通信システムにおける無線部テスト方法。
【請求項３】
上記データ比較用メモリは、送信データと受信データとを比較することを特徴とする請求項１または２記載の無線データ通信システムにおける無線部テスト方法。
【発明の詳細な説明】
【０００１】
【発明の属する技術分野】
本発明は、イーサネット等のバックボーンネットワークに接続する親局装置と、パソコン等の端末装置に接続する複数の子局装置との間の無線通信を時分割双方向通信（ＴＤＤ）で行う無線データ通信システムにおける、親局装置および子局装置の無線部の動作テスト方法に関する。
【０００２】
【従来の技術】
ノートパソコン等の携帯用端末装置およびインターネットの普及に伴い、携帯用端末装置の携帯性に対する要求が高まりつつあると共に、無線媒体により高速で大容量の通信を行う要求が高まりつつある。
【０００３】
図３は、無線データ通信システムの構成の一例を示す図である。
【０００４】
１１はイーサネット等のバックボーンネットワーク、１２はバックボーンネットワーク１１に接続する親局装置、１４ａはデスクトップパソコン、１４ｂはノートパソコン、１５はプリンタ、１３はデスクトップパソコン１４ａ、ノートパソコン１４ｂ、プリンタ１５等の端末装置に接続する子局装置である。
【０００５】
【発明が解決しようとする課題】
従来の無線データ通信システムにおける親局装置１２および子局装置１３の無線部テスト方法について説明する。
【０００６】
親局装置１２と子局装置１３の無線部の動作テストは、その製造時の単体動作テスト時において、専用治具や多くの種類の測定器を用いて行われている。
【０００７】
また、故障発生時に故障原因を追及する場合も、専用治具や多種測定器を一から使用しなくてはならない。
【０００８】
さらに、製造時における半田不良、断線、ＩＣ故障等の不良検出時や、出荷前の環境動作試験時においても、専用治具や多種測定器が必要となるため、抜き取って行うか、あるいは行うことが困難であった。
【０００９】
このため、大量生産においては、専用治具や多種測定器が必要となるため、作業工数、設備費用が多大にかかるという課題があった。
【００１０】
本発明の目的は、無線データ通信システムにおける親局装置または子局装置の無線部テスト方法において、大量生産時に、大量の測定器が必要となるという従来技術の課題を改善し、測定器無しで無線部の動作テストが可能となる方法を提供することにある。
【００１１】
【課題を解決するための手段】
前記課題を解決するために、本発明は、バックボーンネットワークに接続する親局装置と、端末装置に接続する子局装置との間の無線通信を時分割双方向通信で行う無線データ通信システムにおける上記親局装置または上記子局装置の無線部テスト方法であって、
送信用無線フレーム生成を行う送信データ処理手段と、
無線変調およびアップコンバージョンを行う無線送信手段と、
送受信切り替えを行う送受信切り替えスイッチと、
アンテナと、
無線復調およびダウンコンバージョンを行う無線受信手段と、
無線フレームの解体を行う受信データ処理手段と、
上記送信データ処理手段と上記受信データ処理手段のデータの送受信処理の制御、上記送受信切り替えスイッチの制御、およびデータ比較用メモリの制御を行う制御手段とを具備し、
無線部の動作テスト時に、上記アンテナを介さないで、上記送受信切り替えスイッチを通過させ、無線部の信号を送信側から受信側へループさせ、直接与え、その際、上記送受信切り替えスイッチの向きは、上記無線送信手段と上記アンテナとが接続するように設定することを特徴とする。
また、バックボーンネットワークに接続する親局装置と、端末装置に接続する子局装置との間の無線通信を時分割双方向通信で行う無線データ通信システムにおける上記親局装置または上記子局装置の無線部テスト方法であって、
送信用無線フレーム生成を行う送信データ処理手段と、
無線変調およびアップコンバージョンを行う無線送信手段と、
送受信切り替えを行う送受信切り替えスイッチと、
アンテナと、
無線復調およびダウンコンバージョンを行う無線受信手段と、
無線フレームの解体を行う受信データ処理手段と、
上記送信データ処理手段と上記受信データ処理手段のデータの送受信処理の制御、上記送受信切り替えスイッチの制御、およびデータ比較用メモリの制御を行う制御手段とを具備し、
無線部の動作テスト時に、上記アンテナを介さないで、上記送受信切り替えスイッチを通過させ、無線部の信号を送信側から受信側へループさせ、直接与え、その際、上記送受信切り替えスイッチの向きは、上記無線送信手段と上記アンテナとが接続するように設定し、動作テスト時の上記無線受信手段への入力レベル調整は、上記無線送信手段により利得調整を行うことを特徴とする。
【００１２】
また、上記データ比較用メモリは、送信データと受信データとを比較することを特徴とする。
【００１４】
本発明では、無線部の信号を送信側から受信側へループさせ、アンテナを経由しないで該信号を送信側から受信側へ直接与えることにより、測定器無しで無線部の動作テストが可能となる。
【００１５】
【発明の実施の形態】
以下、図面を用いて本発明の実施の形態について詳細に説明する。なお、以下で説明する図面で、同一機能を有するものは同一符号を付け、その繰り返しの説明は省略する。
【００１６】
図１は、本発明の一実施の形態の無線データ通信システムにおける親局装置１２および子局装置１３（図３参照）の無線部テスト方法を示すブロック図である。図２は、図１のブロック図をさらに具体的に示す図である。
【００１７】
２１は送信用無線フレーム生成等を行う送信データ処理手段、２２は無線変調およびアップコンバージョン等を行う無線送信手段、２３は送受信切り替えを行う送受信切り替えスイッチ、２４はアンテナ（指向性のないオムニアンテナ、指向性のあるセクタアンテナ等の各種アンテナが使用可能）、２５は無線復調およびダウンコンバージョン等を行う無線受信手段、２６は無線フレームの解体等を行う受信データ処理手段、２７は送信データと受信データの比較を行うためのデータ比較用メモリ、２８は送信データ処理手段２１と受信データ処理手段２６のデータの送受信処理の制御、送受信切り替えスイッチ２３の制御、およびデータ比較用メモリ２７の制御を行う制御手段、２９はデータ誤り等を検出した場合に通報する通報手段である。本実施の形態による親局装置１２または子局装置１３における無線部テスト装置は、これらにより構成される。
【００１８】
本方法では、あらかじめデータ比較用メモリ２７に動作テスト用の送信データを用意しておき、送信データ処理手段２１、無線送信手段２２、送受信切り替えスイッチ２３を介して、無線受信手段２５、受信データ処理手段２６を経て、データ比較用メモリ２７に至るループを形成する。そして、送信データと受信データとを比較し、データ誤りを検出することにより、特にバースト無線フレームによる送受信動作の確認を行うものである。
【００１９】
以下、図３に示す具体例を用いて本方法の詳細について説明する。
【００２０】
まず、データ比較用メモリ２７を送信データ領域と受信データ領域に分ける。あらかじめ、制御手段２８により、送信データ領域に送信データを書き込んでおく。
【００２１】
次に、送信データ領域から必要なデータを読み出し、送信データ処理手段２１により、送信用のバーストフレームの生成、および場合によっては、各種送信処理（例えば、ＣＲＣコード化、誤り訂正コード化、秘匿処理等）を行い、無線送信手段２２において無線変調等を行う。
【００２２】
送受信切り替えスイッチ２３は、データ送信時には、無線送信手段２２とアンテナ２４とを接続し、データ受信時には、アンテナ２４と無線受信手段２５とを接続する。しかし、無線部の動作テスト時には、アンテナ２４を介さないで、送受信切り替えスイッチ２３を通過させ、無線部の信号を送信側から受信側へループさせ、直接与える。
【００２３】
その際、送受信切り替えスイッチ２３の向きは、無線送信手段２２とアンテナ２４とが接続するように設定する。または、無線送信手段２２と無線受信手段２５とが接続するように設定する。
【００２４】
前者の場合には、送受信切り替えスイッチ２３のアイソレーション（遮断損失）により、数十ｄＢが損失し、無線受信手段２５に入力する。前者、後者共に、動作テスト時の入力レベル調整は、無線送信手段２２または無線受信手段２５により利得調整を行うことにより、無線受信手段２５への過入力を防止できる。
【００２５】
次に、無線受信手段２５により、無線送信手段２２からの変調波をダウンコンバージョンし、復調を行う。
【００２６】
次に、受信データ処理手段２６により、無線フレーム状になっているデータを解体し、場合によっては、各種受信処理（例えば、ＣＲＣ等の誤り検出、誤り訂正、秘匿処理等）を行った上で、データ比較用メモリ２７の受信データ領域に書き込む。
【００２７】
その後、データ比較用メモリ２７の送信データ領域内にある送信データと、受信データ領域内にある受信データとを比較し、誤りがあった場合には、親局装置１２または子局装置１３自体に設けたＬＥＤによる表示、パソコン等の画面表示、あるいはブザー等の通報手段２９に通知する等の処理を行うものとする。このことにより、親局装置１２または子局装置１３の単体装置にて、無線部の動作テストを行うことが実現できる。
【００２８】
以上本発明を実施の形態に基づいて具体的に説明したが、本発明は前記実施の形態に限定されるものではなく、その要旨を逸脱しない範囲において種々変更可能であることは勿論である。例えば、上記具体例の応用例として、システム内における各種受信処理の動作テストを行う。また、無線送信手段２２にて送信利得を変更する（徐々に弱める）ことにより、受信感度を簡易に測定することも可能である。また、送信データ処理手段２１から受信データ処理手段２６への直接ループを作成すれば、不具合部の切り分けも可能となる。さらに、具体例２として、データ比較用メモリ２７を用いずに、ＣＲＣコード等の誤り検出手段を使用し、誤り検出符号によりデータ誤りを検出するようにしてもよい。
【００２９】
【発明の効果】
以上説明したように、本発明によれば、無線データ通信システムにおいて、測定器無しで親局装置または子局装置の無線部動作を自動的に確認できるため、大量生産時においても、大量の測定器が必要となるという従来技術における問題、また故障発生時の故障部切り分け作業時に測定器が必要となる問題を解消することができ、不良の早期発見、および費用の削減という点で顕著な効果がある。
【図面の簡単な説明】
【図１】本発明の一実施の形態の無線データ通信システムにおける親局装置および子局装置の無線部テスト方法を示すブロック図である。
【図２】図１のブロック図をさらに具体的に示す図である。
【図３】無線データ通信システムの構成の一例を示す図である。
【符号の説明】
１１…バックボーンネットワーク、１２…親局装置、１３…子局装置、１４ａ…デスクトップパソコン、１４ｂ…ノートパソコン、１５…プリンタ、２１…送信データ処理手段、２２…無線送信手段、２３…送受信切り替えスイッチ、２４…アンテナ、２５…無線受信手段、２６…受信データ処理手段、２７…データ比較用メモリ、２８…制御手段、２９…通報手段。
【図１】
0004250271.tif 000002
【図２】
0004250271.tif 000003
【図３】
0004250271.tif 000004